(57)【要約】【課題】カメラユニットを選択的に装備することができ、無駄なコストを削減するとともに、必要以上にかさばることのない携帯端末を提供することを目的とする。【解決手段】第１筐体２の一面に開口部８を設け、第１筐体２内に開口部８からカメラユニット９を挿入して収納する収納部１１を設けるとともに、収納部１１にカメラユニット９を接続する接続部１３を設けた。【選択図】    図２
2005024630.tif 000002
【特許請求の範囲】
【請求項１】
筐体の一面に開口部を設け、前記筐体内に前記開口部からカメラユニットを着脱自在に挿入して収納する収納部を設けるとともに、前記収納部には、前記カメラユニットを接続する接続部を設けたことを特徴とするカメラユニットの収納構造。
【請求項２】
前記開口部を覆う蓋部材を着脱自在に設け、前記蓋部材は、前記カメラユニットの形状に応じて形成され選択的に装着可能であることを特徴とする請求項１に記載のカメラユニットの収納構造。
【請求項３】
前記開口部及び前記蓋部材は、前記収納部に対して十分に大きく形成したことを特徴とする請求項１又は請求項２に記載のカメラユニットの収納構造。
【請求項４】
前記筐体の一面に更に表示部を設け、前記蓋部材の少なくとも一部は透明部材で構成されることを特徴とする請求項２又は請求項３に記載のカメラユニットの収納構造。
【発明の詳細な説明】
【０００１】
【発明の属する技術分野】
本発明は、カメラユニットの収納構造に関する。
【０００２】
【従来の技術】
近年、情報通信機能や個人情報管理機能を有するＰＤＡ（Ｐｅｒｓｏｎａｌ  Ｄｉｇｉｔａｌ  Ａｓｓｉｓｔａｎｃｅ）、携帯電話機、ＰＨＳ（Ｐｅｒｓｏｎａｌ  Ｈａｎｄｙｐｈｏｎｅ  Ｓｙｓｔｅｍ）等の携帯型情報通信端末装置（以下、「携帯端末」という）においては、カメラや照明装置等の電子機器を備える携帯端末が使用されている。
【０００３】
この電子機器を備える携帯端末として、従来、例えば、ユニット化されたカメラを、実装工程において他の電子部品とともに回路基板に、半田接合等により予め実装したカメラ付き携帯端末が知られている（例えば、特許文献１参照）。
【０００４】
【特許文献１】
特開２００２−１８５８２７号公報
【０００５】
【発明が解決しようとする課題】
しかしながら、従来の携帯端末では（特許文献１）、カメラユニットが予め内蔵されているため、カメラ機能等が不要なユーザにとっては、コスト高になる上、必要以上に重量が増加したり、厚みが増してかさばる等の問題があった。
また近年、カメラユニットの画素数の向上に対して実装設計スケジュールが間に合わず、特に携帯端末等の小型の電子機器においては、カメラユニットのサイズが変更されてしまうと、全体の設計を見直すという問題があった。
【０００６】
そこで、本発明は、カメラユニットを選択的に装備することができ、実装設計上の無駄な時間やコストを削減するとともに、必要以上にかさばることのないカメラユニットの収納構造を提供することを目的とする。
【０００７】
【課題を解決するための手段】
上記課題を解決するために本発明によるカメラユニットの収納構造は、筐体の一面に開口部を設け、前記筐体内に前記開口部からカメラユニットを着脱自在に挿入して収納する収納部を設けるとともに、前記収納部に前記カメラユニットを接続する接続部を設けたことを特徴とする。
【０００８】
請求項１に記載の発明によれば、必要に応じて選択したカメラユニットが、開口部から挿入され収納部に収納されるとともに、接続部に接続される。
【０００９】
請求項２に記載の発明は、請求項１に記載のカメラユニットの収納構造において、前記開口部を覆う蓋部材を着脱自在に設け、前記蓋部材は、前記カメラユニットの形状に応じて形成され選択的に装着可能であることを特徴とする。
【００１０】
請求項２に記載の発明によれば、開口部を覆う蓋部材が設けられているため、カメラユニットが外部に脱落するのを防止することができる。また、蓋部材が、カメラユニットの形状に応じて形成されているため、筐体の厚みを必要以上に大きく形成する必要がなく、カメラユニットの形状に応じて蓋部材を選択することにより、携帯端末全体の厚みが調整される。
【００１１】
請求項３に記載の発明は、請求項１又は請求項２に記載のカメラユニットの収納構造において、前記開口部及び前記蓋部材は、前記収納部に対して十分に大きく形成したことを特徴とする。
【００１２】
請求項３に記載の発明によれば、開口部及び蓋部材は、収納部に対して十分に大きく形成されているため、蓋部材に装飾を施せばデザイン性が高まり、さらに、異なる装飾を施した複数種類の蓋部材を用意しておけば、ユーザが好みに応じて蓋部材を選択することが可能となる。
【００１３】
請求項４に記載の発明は、請求項２又は請求項３に記載のカメラユニットの収納構造において、前記筐体の一面に更に表示部を設け、前記蓋部材の少なくとも一部は透明部材で構成されることを特徴とする。
【００１４】
請求項４に記載の発明によれば、例えば携帯電話のような、蓋部に液晶表示ユニットを備えるような場合でも、部品点数の削減を実現させることができる。
【００１５】
【発明の実施の形態】
以下、図１から図４を参照して、本発明を適用した携帯端末の例として、携帯電話機１を挙げて説明する。
【００１６】
本実施の形態に係る携帯電話機１は、図１に示すように、第１筐体２及び第２筐体３がヒンジ結合部４により開閉可能に連結されてなる折畳み式のものである。
【００１７】
図１（ａ）に示すように、第２筐体３の折畳み時に内側になる面（以下、正面という。）には、撮像及び通信等に関する操作を行う入力部５が第２筐体３に配設されるとともに第１筐体２には第１ディスプレイパネル２７が配設されている。又、第２筐体３の折り畳み時に外側になる面（以下、背面という。）には、図１（ｂ）に示すように、充電パック６が設けられている。また、図１（ａ）及び図１（ｂ）に示すように、第１筐体２にはアンテナ７と蓋部材３７が配設されている。
【００１８】
次に、第１筐体２の内部について、図１及び図１のＡ−Ａ’断面図である図２を用いて説明する。
【００１９】
第１筐体２の背面には、ヒンジ結合部４の近傍から第１筐体２の上側端部近傍にわたって、開口部８が設けられている。
【００２０】
第１筐体２の内部であって、ヒンジ結合部４近傍には、被写体を撮像する撮像装置をユニット化したカメラユニット９や、照明装置をユニット化した照明ユニット１０（図４参照）等を、開口部８から挿入し収納する収納部１１が設けられている。
【００２１】
収納部１１には、カメラユニット９を制御するための第１フレキシブルプリント配線板１２が、第１筐体２の正面側内面に接して設けられている。
【００２２】
第１フレキシブルプリント配線板１２には、カメラユニット９を支持するとともに電気的に接続させる接続部１３が設けられている。接続部１３は、カメラユニット９の被接続部１４を案内する一面が開口された箱状のガイド部１５を有しており、ガイド部１５の第１第１フレキシブルプリント配線板１２側面には、複数の板バネ状の端子１６が設けられている。
【００２３】
また、第１第１フレキシブルプリント配線板１２には、接続部１４を覆うための、ガイド部１５と同面側が開口された箱状の第１被覆部材１７が設けられている。
【００２４】
カメラユニット９は、プリント配線基板１８を有しており、プリント配線基板１８の上面には、上面が開口されたケース１９が、プリント配線基板１８の一端が突出するように設けられている。ケース１９の内部には、撮像素子２０、多数の画素が２次元的に配列された光電変換部２１及び被写体像を結像させる光学部材２２が配設されており、ケース１９の上部には、光学部材２２を保護する透明な保護部材２３が設けられている。
【００２５】
また、プリント配線基板１８のケース１９より突出した部分は、携帯電話１に接続される板状の被接続部１４とされており、この被接続部１４の裏面には、所定位置に端子２４が設けられている。
【００２６】
この被接続部１４が、ガイド部１５に沿って挿入されることにより、被接続部１４に設けられた端子２４が、ガイド部１５に設けられた複数の端子１６のうち、被接続部１４の所定位置に配置された端子２４に対応する位置にある端子１６に対して、選択的に接続されるようになっている。さらに、被接続部１４がガイド部１５及び端子１６に把持されることにより、カメラユニット９が支持されるようになっている。
【００２７】
また、第１筐体２の内部であって、収納部１１より第１筐体２の上端側には、ＬＣＤ（Ｌｉｑｕｉｄ  Ｃｒｙｓｔａｌ  Ｄｉｓｐｌａｙ）がユニット化された第１ＬＣＤユニット２５が、第１筐体２の正面側に画像が表示されるように配設されている。
【００２８】
第１筐体２の正面であって第１ＬＣＤユニット２５に対応する位置には、第１ＬＣＤユニット２５が臨むように第１ＬＣＤ用開口部２６が設けられているとともに、第１ＬＣＤユニット２５の前面には、第１ディスプレイパネル２７が設けられている。
【００２９】
第１ＬＣＤユニット２５の背面には、第１ＬＣＤユニット２５よりも小さい第２ＬＣＤユニット２８が、第１筐体２の背面側に画像が表示されるように設けられている。
【００３０】
また、第１ＬＣＤユニット２５の背面であって、第２ＬＣＤユニット２８の側方には、入力部５からの指示に応じて、カメラユニット９、第１ＬＣＤユニット２５及び第２ＬＣＤユニット２８を制御するための第２フレキシブルプリント配線板２９が設けられており、第２フレキシブルプリント配線板２９には、各種電子部品３０が設けられている。
【００３１】
そして、第１筐体２の内部には、第１ＬＣＤユニット２５、第２ＬＣＤユニット２８及び第２フレキシブルプリント配線板２９を覆う箱状の第２被覆部材３１が設けられている。第２被覆部材３１の第２ＬＣＤユニット２８に対応する位置には、第２ＬＣＤユニット２８が臨むように第２ＬＣＤ用開口部３２が設けられているとともに、第２ＬＣＤユニット２８の前面には、第２ＬＣＤユニット２８の表面を保護する透明な第２ディスプレイパネル３３が設けられている。
【００３２】
また、第２被覆部材３１の収納部１１側側面には、ケーブル３４を通す挿通穴３５が設けられており、第１第１フレキシブルプリント配線板１２と第２フレキシブルプリント配線板２９とがケーブル３４により接続されている。
【００３３】
第１筐体２の開口部８の長手方向と直交する方向側における端部には、背面から正面に向けて垂下され第１筐体２の内部を仕切る仕切り部材３６が設けられており、仕切り部材３６の上部であって開口部８側には、開口部８を覆う蓋部材３７を係止する切欠部３８が設けられている。
【００３４】
蓋部材３７の長手方向と直行する方向における両側部には、切欠部３８に係止される係止部３９が設けられている。また、蓋部材３７の第２ＬＣＤユニット２８及び光学部材２２に対応する位置は、透明なパネル４０により構成されている。そして、蓋部材３７の上面であって透明パネル４０以外の部分に装飾を施せばデザイン性が高まり、さらに、異なる装飾を施した複数種類の蓋部材を用意しておけば、ユーザが好みに応じて蓋部材を選択することが可能となる。
【００３５】
また、蓋部材３７は、カメラユニット９の形状に対応して形成され、収納部１１に収納されるカメラユニット９に応じて選択して装着されるようになっている。
【００３６】
例えば、図３に示すように、カメラユニットが画素数の大きいカメラユニット４１である場合には、光電変換部２１が２段にわたって設けられており、支持部材により支持させるとカメラユニット４１が開口部８より突出するため、突出したカメラユニット４１に沿うように曲成された蓋部材４２を選択して装着するようになっている。
【００３７】
また、カメラユニット４１を収納しない場合には、収納部１１に対応する位置に透明パネル４０が設けられていない蓋部材を選択して装着するようにしてもよい。
【００３８】
次に、本実施形態の作用について説明する。
【００３９】
第１筐体２の背面に開口部８が設けられているとともに、第１筐体２の内部にはカメラユニット９（または４１）を収納する収納部１１が設けられているため、必要に応じて選択したカメラユニット９（または４１）が、開口部８から挿入され収納部１１に収納される。
【００４０】
このとき、カメラユニット９（または４１）の被接続部１４を、ガイド部１５に沿って挿入させることにより、被接続部１４の所定位置に設けられた端子２４が、ガイド部１５に設けられた端子１６に選択的に接続され、カメラユニット９（または４１）が携帯電話機１に電気的に接続される。また、被接続部１４が、端子１６の付勢によりガイド部１５及び端子１６に把持され、カメラユニット９（または４１）が収納部１１内に支持された状態で収納される。
【００４１】
そして、収納部１１に収納されたカメラユニット９（または４１）の形状及びユーザのデザインの好みにより選択された蓋部材３７が、係止部３９を切欠部３８に係止させることにより、第１筐体２に装着される。これにより、カメラユニット９（または４１）が外部に脱落するのが防止される。また、蓋部材３７，４２が、カメラユニット９（または４１）の形状に応じて形成されているため、第１筐体２の厚みを必要以上に大きく形成する必要がなく、カメラユニット９（または４１）の形状に応じて蓋部材３７を選択することにより、携帯電話機１全体の厚みが調整される。
【００４２】
なお、開口部８及び蓋部材３７は、収納部１１に対して十分に大きく形成されているため、蓋部材３７，４２に施された装飾によりデザイン性が高まる。
【００４３】
また、第１筐体２内に配設された電子部品３０は、被覆部材１７，３１により覆われているため、カメラユニット９（または４１）の装着時等に開口部８より塵や埃等が侵入して電子部品３０に付着することが防止される。
【００４４】
以上より、本実施形態によれば、カメラユニットが選択的に装備可能であり、不要であればカメラユニットを装備しなければよいため、無駄なコストを削減することができるとともに、重量が増加する等して必要以上にかさばることがない。また、カメラユニットの形状に応じて蓋部材３７，４２を選択することにより、携帯電話機１全体の厚みが調整されるため、厚みが増す等して必要以上にかさばることがない。
【００４５】
また、蓋部材３７，４２は、第１筐体２の背面にヒンジ結合部４近傍から先端部近傍にわたって設けられた開口部８を覆っており、その表面に様々な装飾が施すようにすれば、デザイン性に優れかつ多様な携帯電話機１を実現することができる。
【００４６】
なお、本実施形態においては、カメラユニット９を収納部１１に収納する例について説明したが、これに限られるものではなく、例えば、図４に示すように、照明ユニット１０を収納するようにしてもよい。
【００４７】
照明ユニット１０は、プリント配線基板４３を有しており、プリント配線基板４３の上面には、上面が開口されたケース１９が、プリント配線基板４３の一端が突出するように設けられている。ケース１９の内部には、発光ダイオード４４が配設されており、ケース１９の上部には、発光ダイオード４４により発せられた光を発散させる反射板４５が設けられている。そして、プリント配線基板１８のケース１９より突出した部分は、携帯電話機１に接続する板状の被接続部４６とされており、この被接続部４６の裏面には、所定位置に端子４７が設けられている。
【００４８】
また、本発明の携帯端末は、本実施の形態で挙げた携帯電話機１に限定されず、ＰＨＳ、ＰＤＡ等であってもよい。
【００４９】
【発明の効果】
請求項１に記載の発明によれば、カメラユニットが必要に応じて選択的に装備可能であり、不要であればカメラユニットを装備しなければよいため、無駄なコストを削減することができる上、重量が増加することがない。
【００５０】
請求項２に記載の発明によれば、開口部を覆う蓋部材が設けられているため、カメラユニットが外部に脱落するのを防止することができる。また、蓋部材が、カメラユニットの形状に応じて形成されており、カメラユニットの形状に応じて蓋部材を選択することにより、携帯端末全体の厚みが調整されるため、厚みが増す等して必要以上にかさばることがない。
【００５１】
請求項３に記載の発明によれば、開口部及び蓋部材は、収納部に対して十分に大きく形成されているため、蓋部材に様々な装飾を施せばデザイン性に優れかつ多様な携帯端末を実現することができる。
【００５２】
請求項４に記載の発明によれば、前記筐体の一面に更に表示部を設け、前記蓋部材の少なくとも一部は透明部材で構成されるので、例えば携帯電話のような、蓋部に液晶表示ユニットを備えるような場合でも、部品点数の削減を実現させることができる。
【図面の簡単な説明】
【図１】本発明の実施の形態に係る携帯電話機の外観構成を示す図である。
【図２】図１に示した携帯電話機のＡ−Ａ’断面図である。
【図３】携帯電話機に他のカメラユニットを装備した場合の断面図である。
【図４】携帯電話機に照明ユニットを装着した場合の断面図である。
【符号の説明】
１            携帯電話機
２            第１筐体（筐体）
３            第２筐体
８            開口部
９，４１      カメラユニット
１０          照明ユニット
１１          収納部
１３          接続部
１７          第１被覆部材
２８          第２ＬＣＤユニット（表示部）
３１          第２被覆部材
３７，４２    蓋部材
【図１】
2005024630.tif 000003
【図２】
2005024630.tif 000004
【図３】
2005024630.tif 000005
【図４】
2005024630.tif 000006